(57)【要約】【課題】  ラインセンサの複数の受光素子に対する読取周期を制御することにより、各受光素子の読取値が飽和するのを防止することで、本体のコストダウンを図ったフォトプリンタを提供する。【解決手段】  フォトプリンタ１は、ロール紙１１の両側の側端部を検出するラインセンサ２１の読取値が飽和しないように、このラインセンサ２１の受光素子の読取周期を決定する。このため、受光素子が検出する光源の発光量を調整する発光量調整回路を不要にできる。したがって、光源のドライブ回路２２に高価な発光量調整回路を設ける必要がなく安価にでき、その結果フォトプリンタ本体のコストダウンが図れる。【選択図】  図２
2005193500.tif 000002
【特許請求の範囲】
【請求項１】
イエロ、マゼンタ、シアンの感熱発色層が形成されたロール紙を搬送路に沿って搬送する搬送手段と、
前記ロール紙の搬送方向に対して垂直方向である主走査方向に複数の感熱素子をライン状に配置したサーマルヘッドで、前記搬送手段が搬送路に沿って搬送しているロール紙のイエロ、マゼンタ、シアンの感熱発色層に対してイエロ画像、マゼンタ画像、シアン画像を印画する印画手段と、
前記搬送手段により搬送路を搬送されているロール紙の側端部の位置を検出する側端部検出手段と、を備え、
前記印画手段は、前記側端部検出手段が検出しているロール紙の側端部の位置に応じて、前記サーマルヘッドによるロール紙の感熱発色層に対する主走査方向の印画位置を調整するフォトプリンタにおいて、
前記側端部検出手段は、複数の受光素子をライン状に配置したラインセンサを、このラインセンサの複数の受光素子が前記搬送手段が搬送路に沿って搬送しているロール紙の側端部を跨ぐように配置し、各受光素子の受光量を基に前記ロール紙の側端部を検出する手段であり、
前記ラインセンサの複数の受光素子に対する受光量の読取周期を決定する読取周期決定手段を備え、
さらに、前記側端部検出手段は、前記搬送手段が搬送路に沿って搬送しているロール紙の両側に前記ラインセンサを１つずつ配置し、前記ロール紙の両側の側端部を検出する手段であり、
前記読取周期調整手段は、前記搬送手段が搬送路に沿って搬送しているロール紙の両側に１つずつ配置した２つの前記ラインセンサに対する読取周期を同じ値に決定する手段であるフォトプリンタ。
【請求項２】
イエロ、マゼンタ、シアンの感熱発色層が形成されたロール紙を搬送路に沿って搬送する搬送手段と、
前記ロール紙の搬送方向に対して垂直方向である主走査方向に複数の感熱素子をライン状に配置したサーマルヘッドで、前記搬送手段が搬送路に沿って搬送しているロール紙のイエロ、マゼンタ、シアンの感熱発色層に対してイエロ画像、マゼンタ画像、シアン画像を印画する印画手段と、
前記搬送手段により搬送路を搬送されているロール紙の側端部の位置を検出する側端部検出手段と、を備え、
前記印画手段は、前記側端部検出手段が検出しているロール紙の側端部の位置に応じて、前記サーマルヘッドによるロール紙の感熱発色層に対する主走査方向の印画位置を調整するフォトプリンタにおいて、
前記側端部検出手段は、複数の受光素子をライン状に配置したラインセンサを、このラインセンサの複数の受光素子が前記搬送手段が搬送路に沿って搬送しているロール紙の側端部を跨ぐように配置し、各受光素子の受光量を基に前記ロール紙の側端部を検出する手段であり、
前記ラインセンサの複数の受光素子に対する受光量の読取周期を決定する読取周期決定手段を備えたフォトプリンタ。
【請求項３】
前記側端部検出手段は、前記搬送手段が搬送路に沿って搬送しているロール紙の両側に前記ラインセンサを１つずつ配置し、前記ロール紙の両側の側端部を検出する手段である請求項２に記載のフォトプリンタ。
【請求項４】
前記読取周期調整手段は、前記搬送手段が搬送路に沿って搬送しているロール紙の両側に１つずつ配置した２つの前記ラインセンサに対する読取周期を同じ値に決定する手段である請求項３に記載のフォトプリンタ。
【発明の詳細な説明】
【技術分野】
【０００１】
この発明は、イエロ、マゼンタ、シアンの感熱発色層が形成されたロール紙にカラー画像を印刷するフォトプリンタに関する。
【背景技術】
【０００２】
従来、イエロ、マゼンタ、シアンの感熱発色層が形成されたロール紙にカラー画像を印刷するフォトプリンタがあった。カラー画像の印刷工程は、以下の（１）〜（５）である。
（１）サーマルヘッドによる感熱温度を第１の温度（マゼンタ、およびシアンの感熱発色層が発色しない温度）にして、ロール紙における今回カラー画像を印刷する印刷領域のイエロの感熱発色層に対してイエロ画像を印画する。
（２）（１）の工程で印画したイエロ画像をイエロ用定着ランプで露光する。
（３）サーマルヘッドによる感熱温度を第２の温度（シアンの感熱発色層が発色しない温度）にして、前記印刷領域のマゼンタの感熱発色層に対してマゼンタ画像を印画する。
（４）（３）の工程で印画したマゼンタ画像をマゼンタ用定着ランプで露光する。
（５）サーマルヘッドによる感熱温度を第２の温度よりも高温の第３の温度にして、前記印刷領域のシアンの感熱発色層に対してシアン画像を印画する。
【０００３】
上記（１）〜（５）の工程における各画像の印画や露光は、ロール紙を搬送しながら行う。そして、今回カラー画像を印刷した印刷領域はロール紙から切り離して排紙する。
【０００４】
このように、フォトプリンタはイエロ画像、マゼンタ画像、シアン画像を異なるタイミングで印刷領域に重ね合わせて印画することから、印刷領域における各画像の印画位置のズレや、ロール紙の斜行による印刷画像の傾きを防止するために、例えば特許文献１に示されているように、各画像の印画時にロール紙の両側の側端部を検出し、ここで検出した側端部の位置に基づいて、サーマルヘッドによる主走査方向（ロール紙の搬送方向に対して垂直方向）の印画位置を調整している。ロール紙の側端部の検出には、ＣＣＤアレイやＣＣＤアレイと光源を内蔵したＣＩＳ等のラインセンサが利用されている。具体的には、ライン状に配置したＣＣＤがロール紙の側端部を主走査方向に跨ぐように配置し、ロール紙の有無により受光量が変化している位置をロール紙の端部として検出している。
【特許文献１】特開２００１−３０５３２号公報
【発明の開示】
【発明が解決しようとする課題】
【０００５】
しかしながら、従来のフォトプリンタは、搬送路に沿って搬送している用紙の側端部の検出において、ラインセンサの各受光素子の読取値（出力）が飽和しないように、受光素子が検出する光源の発光量を調整している。このため、光源のドライブ回路に光源の発光量を調整する回路（発光量調整回路）が必要であり、このドライブ回路が高価であった。その結果、このドライブ回路を設けたフォトプリンタのコストが高いという問題があった。
【０００６】
この発明の目的は、ラインセンサの複数の受光素子に対する読取周期を制御することにより、各受光素子の読取値が飽和するのを防止して、従来必要であった光源の発光量を調整する発光量調整回路を不要にすることで、本体のコストダウンを図ったフォトプリンタを提供することにある。
【課題を解決するための手段】
【０００７】
この発明のフォトプリンタは、上記課題を解決するために以下の構成を備えている。
（１）イエロ、マゼンタ、シアンの感熱発色層が形成されたロール紙を搬送路に沿って搬送する搬送手段と、
前記ロール紙の搬送方向に対して垂直方向である主走査方向に複数の感熱素子をライン状に配置したサーマルヘッドで、前記搬送手段が搬送路に沿って搬送しているロール紙のイエロ、マゼンタ、シアンの感熱発色層に対してイエロ画像、マゼンタ画像、シアン画像を印画する印画手段と、
前記搬送手段により搬送路を搬送されているロール紙の側端部の位置を検出する側端部検出手段と、を備え、
前記印画手段は、前記側端部検出手段が検出しているロール紙の側端部の位置に応じて、前記サーマルヘッドによるロール紙の感熱発色層に対する主走査方向の印画位置を調整するフォトプリンタにおいて、
前記側端部検出手段は、複数の受光素子をライン状に配置したラインセンサを、このラインセンサの複数の受光素子が前記搬送手段が搬送路に沿って搬送しているロール紙の側端部を跨ぐように配置し、各受光素子の受光量を基に前記ロール紙の側端部を検出する手段であり、
前記ラインセンサの複数の受光素子に対する受光量の読取周期を決定する読取周期決定手段を備えている。
【０００８】
一般に、ＣＣＤ等の受光素子の読取値は、単位時間当たりの受光量と、検出時間との積に応じた大きさである。読取周期を長くすると検出時間が長くなり、読取周期を短くすると検出時間が短くなる。したがって、受光素子の読取周期を制御することにより、受光素子の読取値が飽和するのを防止できる。
【０００９】
そこで、この発明では、ラインセンサの各受光素子の読取周期を、受光素子の読取値が飽和しない値に決定するようにしたので、受光素子が検出する光源の発光量を調整する必要がない。言い換えれば、この光源に供給する電力を固定し、発光量が経時的に変化しても、受光素子の読取周期を調整することにより、常に受光素子の読取値を適正な範囲にできる。したがって、従来の装置のように、光源のドライブ回路に高価な発光量調整回路を設ける必要がなく、このドライブ回路を安価にできる。また、受光素子の読取周期はソフトウェアで制御できるので、特別なハードウェアを必要としない。したがって、フォトプリンタ本体のコストダウンが図れる。
【００１０】
（２）前記側端部検出手段は、前記搬送手段が搬送路に沿って搬送しているロール紙の両側に前記ラインセンサを１つずつ配置し、前記ロール紙の両側の側端部を検出する手段である。
【００１１】
この構成では、ロール紙の両側の側端部を個別に検出することができ、イエロ、マゼンタ、シアンの各画像の印画位置のズレや、ロール紙の斜行による印刷画像の傾きを、精度よく防止できる。
【００１２】
（３）前記読取周期調整手段は、前記搬送手段が搬送路に沿って搬送しているロール紙の両側に１つずつ配置した２つの前記ラインセンサに対する読取周期を同じ値に決定する手段である。
【００１３】
この構成では、ロール紙の両側にそれぞれ配置した、ラインセンサの受光素子に対する読取周期を一度に決定するので、読取周期を決定するのにかかる時間の短縮が図れる。
【発明の効果】
【００１４】
この発明によれば、受光素子の読取値を適正な範囲に保つために、受光素子の読取周期を制御するようにしたので、光源のドライブ回路に高価な発光量調整回路を設ける必要がなく、この光源のドライブ回路を安価にできる。したがって、フォトプリンタ本体のコストダウンが図れる。
【発明を実施するための最良の形態】
【００１５】
以下、この発明の実施形態であるフォトプリンタについて説明する。
【００１６】
図１は、この発明の実施形態であるフォトプリンタの構成を示すブロック図である。フォトプリンタ１は、本体の動作を制御する制御部２と、印刷するカラー画像の入力を受け付ける印刷画像入力部３と、本体にセットされているロール紙を搬送路に沿って搬送する搬送部４と、本体にセットされているロール紙にカラー画像を印刷する印刷部５と、搬送路に沿って搬送しているロール紙の両側の側端部を検出する側端部検出部６とを備えている。印刷画像入力部３は、パーソナルコンピュータ等の外部機器から送られてきた画像を印刷画像として受け付ける構成であってもよいし、セットされたメモリカード等の記録媒体に記録されている画像を印刷画像として読み出す構成であってもよい。制御部２は、側端部検出部６が検出したロール紙の両側の側端部の位置に基づいて、印刷部５に対してロール紙に対する主走査方向（ロール紙の搬送方向に対して垂直方向）の印画位置を指示する。印刷部５は、制御部２からの指示にしたがって、主走査方向における印画位置を調整する。
【００１７】
図２は、この実施形態のフォトプリンタの印刷部、および側端部検出部を示す概略図である。図２（Ａ）は側面断面図であり、図２（Ｂ）は上面図である。図２において、１１は給紙部にセットされたロール紙である。このロール紙１１は、イエロ、マゼンタ、シアンの感熱発色層が形成された、所謂ＴＡペーパである。１２はロール紙１１のイエロ、マゼンタ、シアンの感熱発色層毎に感熱温度を変えて感熱記録を行うサーマルヘッド、１３はマゼンタの感熱発色層に印画したマゼンタ画像を定着させるマゼンタ用定着ランプ、１４はイエロの感熱発色層に印画したイエロ画像を定着させるイエロ用定着ランプである。サーマルヘッド１２、マゼンタ用定着ランプ１３、およびイエロ用定着ランプ１４は、ロール紙１１の搬送路に沿って、この順に給紙側から排紙側に並んでいる。また、１５はカラー画像の印刷に使用しない領域（未印画領域）がマゼンタ用定着ランプ１３やイエロー用定着ランプ１４で露光されるのを防止するシャッタである。また、１３ａはマゼンタ用定着ランプ１３を収納したリフレクタであり、１４ａはイエロ用定着ランプを収納したリフレクタである。
【００１８】
また、２１（２１ａ、２１ｂ）はラインセンサであり、ロール紙１１の両側に、それぞれ側端部を跨ぐように配置している。このラインセンサは、光源（ＬＥＤアレイ）および受光素子（ＣＣＤアレイ）を内蔵したＣＩＳである。ラインセンサ２１に内蔵されている複数の受光素子は、主走査方向にライン状に配置されている。このラインセンサ２１は、サーマルヘッド１２の近傍で、給紙側に配置している。
【００１９】
なお、ここではラインセンサ２１をＣＩＳとしたが、ＣＣＤアレイとＬＥＤアレイとを別々に設けてもよい。
【００２０】
次に、図３を参照しながら、側端部検出部６の構成について説明する。側端部検出部６は、図３に示すように、ラインセンサ２１に内蔵されているＬＥＤを発光させるドライブ回路２２、ラインセンサ２１にクロックや読取開始を示すスタートパルスを与える制御信号回路２３、およびラインセンサ２１の出力を処理する出力処理回路２４を備えている。２つのラインセンサ２１ａ、２１ｂは、ラインセンサ２１ａの出力である各受光素子の読取値がラインセンサ２１ｂを介して出力処理回路２４に入力されるようにカスケード接続されている。ドライブ回路２２、および制御信号回路２３は、ラインセンサ２１ａ、２１ｂに対して、ＬＥＤのドライブ信号、クロック、スタートパルスを並列に入力する。
【００２１】
ドライブ回路２２は、ＬＥＤの発光量を調整する発光量調整回路を備えておらず、ラインセンサ２１ａ、２１ｂに対して入力するドライブ信号が固定値である。このように、ドライブ回路２２は発光量調整回路を有していないので安価である。また、制御信号回路は、制御部２が有するＣＰＵ（不図示）の動作クロックを分周したクロックや、制御部２から指示されたタイミングでスタートパルスをラインセンサ２１ａ、２１ｂに入力する。出力処理回路２４は、ラインセンサ２１ａ、２１ｂの各受光素子の読取値をＡ／Ｄ変換したディジタル値で制御部２に渡す。制御部２は、出力処理回路２４から渡されたラインセンサ２１ａ、２１ｂの各受光素子の読取値に基づいて、搬送路を搬送しているロール紙１１の両側の側端部の位置を検出し、ここで検出した位置に基づいて印刷部５にサーマルヘッド１２による主走査方向の印画位置を指示する。
【００２２】
次に、この実施形態のフォトプリンタ１におけるカラー画像の印刷工程について説明する。フォトプリンタ１は、ロール紙１１を繰り出し、今回印刷画像入力部３に入力された画像を印刷する領域の後端部がラインセンサ２１（２１ａ、２１ｂ）よりも排紙側に位置させる。そして、ラインセンサ２１の各受光素子の読取周期を決定する読取周期決定処理を行う。図４は、この読取周期決定処理を示すフローチャートである。制御部２が、側端部検出部６に対して初期値Ａをラインセンサ２１の読取周期として指示し、側端部検出６がここで指示された初期値Ａを読取周期に設定し（ｓ１）、この読取周期で読取を行って各受光素子の読取値を出力処理回路２４から制御部２に渡す（ｓ２）。
【００２３】
一般に、ＣＣＤ等の受光素子の読取値は、単位時間当たりの受光量と、検出時間との積に応じた大きさである。読取周期を長くすると検出時間が長くなり、読取周期を短くすると検出時間が短くなる。このため、読取周期を長くすると、受光素子の読取値が飽和する。制御部２が指示する読取周期の初期値Ａは、受光素子の読取値が飽和するのに十分な長さであり、予め定められている値である。また、制御部２が指示する読取周期は、ラインセンサ２１ａ、２１ｂに対して共通である。制御部２は、このｓ１、２の処理により、受光素子の飽和レベルＹを得ている。
【００２４】
次に、制御部２が側端部検出部６に対して設定値Ｂをラインセンサ２１の読取周期として指示し、側端部検出６がここで指示された設定値Ｂを読取周期に設定し（ｓ３）、この読取周期で読取を行って各受光素子の読取値を出力処理回路２４から制御部２に渡す（ｓ４）。制御部２が、側端部検出部６に対して指示する設定値Ｂも予め定められている値であり、ラインセンサ２１ａ、２１ｂの各受光素子の読取値が適当なレベルになると推定した値である。制御部２は、今回指示した読取周期でのラインセンサ２１の読取値の最大値Ｘと、ｓ２で得た飽和レベルＹとの比率を算出する（ｓ５）。ｓ５では、比率Ｚを
比率Ｚ＝Ｙ／Ｘ×１００
により算出する。制御部２は、ｓ５で算出した比率Ｚが予め定めた範囲、例えば９０〜９５％の範囲、であるかどうかを判定し（ｓ６）、この範囲でなければ今回側端部検出部６に対して指示した読取周期が適正でないと判断し、今回指示した読取周期と、ｓ５で算出した比率Ｚを用いて補正した補正読取周期を算出する（ｓ８）。この補正読取周期は、例えば、
補正読取周期＝（今回指示した読取周期）＋（適正比率−比率Ｚ）×Ｃ
により算出される。ここで、適正比率はｓ６の判定に用いる範囲の中心値であり、Ｃは予め定めた比例定数である。
【００２５】
制御部８は、側端部検出部６に対してｓ８で算出した補正読取周期をラインセンサ２１の読取周期として指示し、側端部検出６がここで指示された補正読取周期を読取周期に設定し（ｓ９）、ｓ４以降の処理を繰り返す。ｓ４〜ｓ９の処理は、ｓ６においてｓ５で算出した比率が適正な範囲であると判定されるまで、繰り返される。制御部２は、ｓ６においてｓ５で算出した比率が適正な範囲であると判定すると、ラインセンサ２１の読取周期を、このときの読取周期に決定し、本処理を終了する。
【００２６】
フォトプリンタ１は、上記読取周期決定処理でラインセンサ２１の読取周期を決定すると、ロール紙１を給紙側に引き戻しながら、サーマルヘッド１２でイエロ画像を印画する。このとき、側端部検出部６は、直前に行った読取周期決定処理で決定した読取周期でラインセンサ２１の読取を行い、出力処理回路２４からラインセンサ２１の読取値を制御部２に渡している。制御部２は、側端部検出部６から渡されたラインセンサ２１の読取値から、搬送路を搬送されているロール紙１１の両側の側端部の位置を検出し、ここで検出したロール紙１１の両側の側端部の位置に基づいて、印刷部５に対してサーマルヘッド１２による主走査方向の印画位置を指示する。印刷部５は、この指示にしたがってサーマルヘッド１２による主走査方向の印画位置を調整しながら、イエロー画像を印画する。
【００２７】
フォトプリンタ１は、イエロ画像の印画を完了すると、ロール紙１１を排紙側に繰り出し、今回イエロ画像を印画した領域がイエロ用定着ランプ１４の露光領域よりも排紙側に位置させる。そして、ロール紙１１を給紙側に引き戻しながら、今回イエロ画像を印画した領域を点灯させたイエロ用定着ランプで露光し、イエロ画像を定着する。このとき、今回のカラー画像の印刷に使用しない領域がイエロ用定着ランプ１４で露光されるのを防止するために、今回のカラー画像の印刷に使用しない領域をシャッタ１５で覆いながらイエロ用定着ランプ１４の露光領域を通過させる。
【００２８】
フォトプリンタ１は、イエロ画像の定着が完了すると、ロール紙１１を繰り出し、今回印刷画像入力部３に入力された画像を印刷する領域（既に、イエロ画像を印画し、定着した領域）の後端部がラインセンサ２１（２１ａ、２１ｂ）よりも排紙側に位置させる。そして、ラインセンサ２１の各受光素子の読取周期を決定する読取周期決定処理を再度行う。そして、フォトプリンタ１は、この読取周期決定処理でラインセンサ２１の読取周期を決定すると、ロール紙１を給紙側に引き戻しながら、サーマルヘッド１２でマゼンタ画像を印画する。このとき、側端部検出部６は、イエロ画像の印画のときと同様に、直前に行った読取周期決定処理で決定した読取周期でラインセンサ２１の読取を行い、出力処理回路２４からラインセンサ２１の読取値を制御部２に渡している。制御部２は、側端部検出部６から渡されたラインセンサ２１の読取値から、搬送路を搬送されているロール紙１１の両側の側端部の位置を検出し、ここで検出したロール紙１１の両側の側端部の位置に基づいて、印刷部５に対してサーマルヘッド１２による主走査方向の印画位置を指示する。印刷部５は、この指示にしたがってサーマルヘッド１２による主走査方向の印画位置を調整しながら、マゼンタ画像を印画する。
【００２９】
フォトプリンタ１は、マゼンタ画像の印画を完了すると、ロール紙１１を排紙側に繰り出しながら、今回マゼンタ画像を印画した領域がマゼンタ用定着ランプ１３の露光領域を通過させ、今回印画したマゼンタ画像を定着する。このとき、今回のカラー画像の印刷に使用しない領域がマゼンタ用定着ランプ１３で露光されるのを防止するために、今回マゼンタ画像を印画した領域の後端部がマゼンタ用定着ランプ１３の露光領域の給紙側の端部に位置した時点で一定時間停止させ、マゼンタ用定着ランプ１３を消灯する。
【００３０】
さらに、フォトプリンタ１はマゼンタ画像の定着が完了すると、ロール紙１１を繰り出し、今回印刷画像入力部３に入力された画像を印刷する領域（既に、イエロ画像、マゼンタ画像を印画し、定着した領域）の後端部がラインセンサ２１（２１ａ、２１ｂ）よりも排紙側に位置させる。そして、ラインセンサ２１の各受光素子の読取周期を決定する読取周期決定処理をもう一度行う。そして、フォトプリンタ１は、この読取周期決定処理でラインセンサ２１の読取周期を決定すると、ロール紙１を給紙側に引き戻しながら、サーマルヘッド１２でシアン画像を印画する。このとき、側端部検出部６は、イエロ画像、およびマゼンタ画像の印画のときと同様に、直前に行った読取周期決定処理で決定した読取周期でラインセンサ２１の読取を行い、出力処理回路２４からラインセンサ２１の読取値を制御部２に渡している。制御部２は、側端部検出部６から渡されたラインセンサ２１の読取値から、搬送路を搬送されているロール紙１１の両側の側端部の位置を検出し、ここで検出したロール紙１１の両側の側端部の位置に基づいて、印刷部５に対してサーマルヘッド１２による主走査方向の印画位置を指示する。印刷部５は、この指示にしたがってサーマルヘッド１２による主走査方向の印画位置を調整しながら、シアン画像を印画する。
【００３１】
フォトプリンタ１は、シアン画像の印画が完了すると、ロール紙を繰り出し、今回カラー画像を印画した領域を図示していないカッタでロール紙１１から切り離し、これを排紙する。
【００３２】
このように、この実施形態のフォトプリンタ１は、ロール紙１１の両側の側端部を検出するラインセンサ２１の読取値を飽和させないために、ラインセンサ２１の受光素子の読取周期を制御する構成としたので、従来の装置のように受光素子が検出する光源の発光量を調整する発光量調整回路を不要にできる。これにより、光源のドライブ回路２２に高価な発光量調整回路を設ける必要がなく、このドライブ回路２２を安価にできる。また、受光素子の読取周期はソフトウェアで制御できるので、特別なハードウェアを必要せず、フォトプリンタ本体のコストダウンが図れる。
【００３３】
また、ロール紙１１の両側の側端部を検出する２つのラインセンサ２１ａ、２１ｂについて、読取周期を同じ値に決定するようにしたので、各ラインセンサ２１ａ、２１ｂの読取周期を決定する処理にかかる時間も短縮できる。
【００３４】
なお、上記実施形態では、ロール紙１１の両側の側端部を検出できるように、ラインセンサ２１を２つ用いたが、一方の側端部のみ検出すればよいフォトプリンタであれば、どちらか一方のラインセンサ２１を不要にできる。
【図面の簡単な説明】
【００３５】
【図１】この発明の実施形態であるフォトプリンタの構成を示す図である。
【図２】この実施形態のフォトプリンタの印刷部および側端部検出部を示す図である。
【図３】この実施形態のフォトプリンタの側端部検出部の回路構成を示す図である。
【図４】この実施形態のフォトプリンタにおける読取周期決定処理を示すフローチャートである。
【符号の説明】
【００３６】
１−フォトプリンタ
２−制御部
３−印刷画像入力部
４−搬送部
５−印刷部
６−側端部検出部
１１−ロール紙
１２−サーマルヘッド
２１（２１ａ、２１ｂ）−ラインセンサ
２２−ドライブ回路
２３制御信号回路
２４−出力処理回路
【図１】
2005193500.tif 000003
【図２】
2005193500.tif 000004
【図３】
2005193500.tif 000005
【図４】
2005193500.tif 000006